【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
施設において検出エリアとして設定されている所定の領域に存在する人物が、予め登録された人物としての登録済み人物であるか否かを識別する識別システムであって、
前記施設に配備される施設側装置（２、２Ａ）と、
前記登録済み人物に携帯されて、所定の周波数帯の電波を用いて、固有の識別情報を含む識別信号を送信する発信器（１）と、を備え、
前記施設側装置は、
前記検出エリア内に存在する前記発信器から送信される前記識別信号を受信するように配置される識別信号受信装置（２２２）と、
前記登録済み人物によって携行される前記発信器に割り当てられている前記識別情報が登録されている識別情報記憶部（２２４、２２４Ａ）と、
前記検出エリアに存在する人物が前記登録済み人物であるか否かを判定する一連の処理を開始するためのイベントとして、前記検出エリアへ人が進入したことを検出するイベント検出部（Ｓ１０１、Ｓ２０１、Ｓ３０１、Ｓ４０１）と、
前記イベント検出部が前記検出エリアに対する人の進入を検出したことに基づいて、所定の防犯処理を実施する防犯処理部（Ｓ１０５、Ｓ２０５、Ｓ３０６）と、
前記イベント検出部が前記イベントの発生を検出した時点を基準として定まる時間帯であって少なくとも当該検出時点を含む検出時間帯において前記識別信号受信装置が受信した前記識別信号に示されている前記識別情報と、前記識別情報記憶部に登録されている前記識別情報である登録済み識別情報とを比較することによって、前記検出エリア内に存在する人物が、前記登録済み人物であるか否かを判定する人物識別部（Ｓ１０３、Ｓ２０３、Ｓ３０３、Ｓ４０３）と、を備え、
前記識別情報記憶部には、前記登録済み人物が外出する際に利用する移動体に付与される前記発信器に割り当てられている前記識別情報である移動体識別情報も登録されており、
前記人物識別部は、前記検出エリアにした人である進入者が前記登録済み人物であるか否かを前記識別情報の比較によって判定し、
前記防犯処理部は、前記人物識別部によって前記進入者は前記登録済み人物であると判定された場合であっても、前記検出時間帯において前記移動体識別情報を示す前記識別信号を受信できなかった場合には、前記防犯処理を実行するように構成されている識別システム。
【請求項２】
請求項１において、
前記検出エリアは、前記登録済み人物が居住する住宅において、前記登録済み人物が帰宅した場合に通行する所定の範囲に形成されてあって、
前記識別情報記憶部が記憶している前記識別情報のうち、ユーザによって被保護者に設定されている前記登録済み人物の前記識別情報には、当該識別情報に対応する前記登録済み人物が前記被保護者であることを示す情報が対応づけられて保存されており、
前記施設側装置は、
前記人物識別部によって前記進入者が登録済み人物であると判定された場合に、前記登録済み識別情報と一致した前記識別情報に基づいて、前記住宅に帰宅した人物である帰宅者が前記被保護者であるか否かを判定する帰宅者判定部（Ｓ２０６）と、
前記帰宅者判定部によって前記帰宅者が前記被保護者であると判定された場合に、予め登録されている連絡先に前記被保護者が帰宅した旨を示す帰宅通知を送信する帰宅連絡処理部（Ｓ２０７）と、を備えることを特徴とする識別システム。
【請求項３】
所定の施設で用いられ、配達員によって前記施設に届けられた配達物が、正規の発送元から予め通知されている物であるか否かを識別する識別システムであって、
前記施設に配備される施設側装置（２Ｂ）と、
正規の発送元から発送される配達物である正規配達物に付与されて、所定の周波数帯の電波を用いて、固有の識別情報を含む識別信号を送信する発信器（１）と、を備え、
前記施設側装置は、
所定の配置エリア内に存在する前記発信器から送信される前記識別信号を受信できるように配置される識別信号受信装置（２２２）と、
前記正規配達物に付与される前記発信器に割り当てられている前記識別情報が登録されている受取予定物記憶部（２２４Ｂ）と、
前記配置エリア内に前記配達物が配置されていることを示すイベントが発生したことを検出するイベント検出部（Ｓ５０１）と、
前記イベント検出部が前記イベントの発生を検出した時点を基準として定まる時間帯であって、少なくともその検出時点を含む検出時間帯において前記識別信号受信装置が受信した前記識別信号に示されている前記識別情報と、前記受取予定物記憶部に登録されている前記識別情報とを比較して、前記配置エリア内に配置された前記配達物が、前記正規配達物であるか否かを判定する配達物識別部（Ｓ５０４）と、
前記配達物識別部によって前記配達物は前記正規配達物であると判定された場合には、前記配達物は前記正規配達物である旨をユーザに報知する一方、前記配達物識別部によって前記配達物は前記正規配達物ではないと判定された場合には、前記配達物は前記正規配達物ではない旨をユーザに報知する報知処理部（Ｓ５０６、Ｓ５０７）を備えることを特徴とする識別システム。
【請求項４】
請求項３において、
前記施設側装置は、
前記配達物の配達を管理する配送センタから広域通信網を介して配信される、前記正規配達物に付与されている前記発信器に割り当てられている前記識別情報を含む配達物情報を受信する広域通信部（２２３）と、
前記広域通信部によって受信された前記配達物情報を前記受取予定物記憶部に登録する登録処理部（Ｆ１）と、を備えることを特徴とする識別システム。
【請求項５】
請求項４において、
受取済みの前記配達物に対応する前記配達物情報を前記受取予定物記憶部から削除する削除処理部（Ｆ２）を備えることを特徴とする識別システム。
【手続補正２】
【補正対象書類名】明細書
【補正対象項目名】００１０
【補正方法】変更
【補正の内容】
【００１０】
その目的を達成するための第１の発明は、施設において検出エリアとして設定されている所定の領域に存在する人物が、予め登録された人物としての登録済み人物であるか否かを識別する識別システムであって、施設に配備される施設側装置（２、２Ａ）と、登録済み人物に携帯されて、所定の周波数帯の電波を用いて、固有の識別情報を含む識別信号を送信する発信器（１）と、を備え、施設側装置は、検出エリア内に存在する発信器から送信される識別信号を受信するように配置される識別信号受信装置（２２２）と、登録済み人物によって携行される発信器に割り当てられている識別情報が登録されている識別情報記憶部（２２４、２２４Ａ）と、検出エリアに存在する人物が登録済み人物であるか否かを判定する一連の処理を開始するためのイベントとして、検出エリアへ人が進入したことを検出するイベント検出部（Ｓ１０１、Ｓ２０１、Ｓ３０１、Ｓ４０１）と、イベント検出部が検出エリアに対する人の進入を検出したことに基づいて、所定の防犯処理を実施する防犯処理部（Ｓ１０５、Ｓ２０５、Ｓ３０６）と、イベント検出部がイベントの発生を検出した時点を基準として定まる時間帯であって少なくとも当該検出時点を含む検出時間帯において識別信号受信装置が受信した識別信号に示されている識別情報と、識別情報記憶部に登録されている識別情報である登録済み識別情報とを比較することによって、検出エリア内に存在する人物が、登録済み人物であるか否かを判定する人物識別部（Ｓ１０３、Ｓ２０３、Ｓ３０３、Ｓ４０３）と、を備え、識別情報記憶部には、登録済み人物が外出する際に利用する移動体に付与される発信器に割り当てられている識別情報である移動体識別情報も登録されており、人物識別部は、検出エリアにした人である進入者が登録済み人物であるか否かを識別情報の比較によって判定し、防犯処理部は、人物識別部によって進入者は登録済み人物であると判定された場合であっても、検出時間帯において移動体識別情報を示す識別信号を受信できなかった場合には、防犯処理を実行するように構成されていることを特徴とする。